(57)【要約】【課題】収納物が収納される収納場所の「満車」や「空席あり」の形態を簡便、確実に表示でき、設備コストも安価に、かつメンテナンス性もよく、耐久性もあり、他目的表示にも応用できる収納物の収納形態自動確認表示装置を提供する。【解決手段】収納箇所２の収納物６が出入する出入口側にはコントローラ５により表示される表示パネル４が設けられている。この表示パネルは軽量のアクリル樹脂板の内部にレーザ加工により「満車」や「空席あり」の表示を行うものからなり、少数のＬＥＤにより照明される。収納箇所２内には遮断型又は反射型の検出部３があり、収納物６の収納状態によりコントローラ５側に検出信号を発する。なお、表示パネル５は収納箇所２に１つでも空席があるとき「空席あり」を表示する構造からなる。【選択図】図１
2005063345.tif 000002
【特許請求の範囲】
【請求項１】
複数の収納箇所に収納物が収納されている状態を確認表示する装置であって、該装置は、収納形態を検出する検出部及び表示パネルと、検出部の検出信号によりその収納形態を前記表示パネルに自動表示する制御部とからなり、前記表示パネルがガラス又は透明、半透明の樹脂体の内部に前記収納形態に対応する表示マークをレーザ加工により内部描画したものからなり、前記検出部は、前記収納物の収納形態をレーザ光の遮断又は反射によって検出するレーザ光遮断反射センサからなることを特徴とする収納物の収納形態自動確認表示装置。
【請求項２】
前記収納物が、自動車からなり、収納箇所が駐車場からなる場合において、前記表示パネルには満車又は空車状態を表示するものからなることを特徴とする請求項１に記載の収納物の収納形態自動確認表示装置。
【請求項３】
前記表示パネルには、収納形態を表示する他、各種情報、宣伝、広告用のマークが併設されることを特徴とする請求項１又は２に記載の収納物の収納形態自動確認表示装置。
【発明の詳細な説明】
【技術分野】
【０００１】
本発明は、例えば、自動車のような収納物の駐車場等の収納箇所への収納状態を収納箇所を利用する人に事前に知らせしめて収納の円滑化を図ると共に、表示マークがレーザ加工により内部描画された表示パネルを用いて安全性、耐久性、視認性の向上に図り、更に、各種の情報や宣伝広告の表示パネルとしても利用可能な収納物の収納形態自動確認表示装置に関する。
【背景技術】
【０００２】
例えば、自動車の駐車場への収納形態を自動表示する従来技術としては各種のものがあるが、例えば、特許文献１，特許文献２及び特許文献３がある。
【特許文献１】特開平５−１８９４４１
【特許文献２】特開平６−２２３２９９
【特許文献３】特開２０００−２２２６９４
【発明の開示】
【発明が解決しようとする課題】
【０００３】
特許文献１の特開平５−１８９４４１の「駐車場管理システム」は、空セクタ検出部（１６）によって空セクタを検出し、これを入口の表示パネル（１２）に表示させるもので、駐車場利用者は空セクタの表示されている箇所まで車を動かして収納するものである。これは比較的大きな駐車場において設置されるものであり、制御構造が複雑であり高価のものとなる。駐車場利用者にとって必要の情報としては満車や空席かのアバウトの情報であり、空席がある場合これをさがし出すことはそれ程難しいことではない。また、以上のような設備を駐車場に設けるのは小規模の駐車場では採算が合わず、かつ故障が生じ易くそのメンテナンスも容易ではない。また、特許文献２の特開平６−２２３２９９の「駐車場管理装置」は、無線を用いて駐車場の空気スペースを表示手段に表示するもので、無線用の車両検出手段は収納スペース分だけ存在するものでなく、そのコントロールによって複数箇所の空スペース情報を検出して送信するものであり、設備コストが高く、かつメンテナンスに高コストがかかる。また、故障し易い。
また、特許文献３の特開２０００−２２２６９４の「駐車場用空スペース表示装置」は太陽光を用いて車を照射し、車の存在によって変化する入射光車を光センサによって検出して収納状態を確認するものであり、省エネルギの効果はあるが、光センサの検出能力の確実性に問題があり、前記の公知技術と同様に設備コストが高くメンテナンス性も悪い。
【０００４】
本発明は、以上の公知技術の問題点を解決するもので、低コストで設置でき、小規模のすべての収納箇所に適用でき、検出部の構造も検出機能も確実で安定性があり、比較的低コストででき、かつ表示パネルが、情報を内部描画するものからなり、故障もなく、メンテナンス性も良く、かつ耐久性の向上が図れる収納物の収納形態自動確認表示装置を提供することを目的とする。
【課題を解決するための手段】
【０００５】
本発明は、以上の目的を達成するため、請求項１の発明は、複数の収納箇所に収納物が収納されている状態を確認表示する装置であって、該装置は、収納形態を検出する検出部及び表示パネルと、検出部の検出信号によりその収納形態を前記表示パネルに自動表示する制御部とからなり、前記表示パネルがガラス又は透明、半透明の樹脂体の内部に前記収納形態に対応する表示マークをレーザ加工により内部描画したものからなり、前記検出部は、前記収納物の収納形態をレーザ光の遮断又は反射によって検出するレーザ光遮断反射センサからなることを特徴とする。
【０００６】
また、請求項２の発明は、前記収納物が、自動車からなり、収納箇所が駐車場からなる場合において、前記表示パネルには満車又は空車状態を表示するものからなることを特徴とする。
【０００７】
また、請求項３の発明は、前記表示パネルには、収納形態を表示する他、各種情報、宣伝、広告用のマークが併設されることを特徴とする。
【発明の効果】
【０００８】
表示パネルは透明又は半透明の樹脂板やガラスからなり、この内部に満車や空車等の文字が内部描画される。内部描画のため、外部から消すことができず、ほぼ永久に使用できる。また、この内部描画像は、本願出願人の既出願に係る技術を用いるものであり、ＬＥＤのような省電力の照明光により任意の色に照明される。これにより、昼夜間とも用いられ明確な表示ができる。また、一年中照明していてもごく少ない電力を消費するのみである。また、検出部は収納物の出入によってレーザ光を遮断又は反射すること比較的簡便な検出手段を用いるため検出が確実であり、検出手段も低コストですむ。
【０００９】
また、表示パネルは満車や空車を表示するもので、利用者に適格な情報を明確に伝えることができる。勿論、空車状態を細かく表示することも表示パネルの複数化により可能である。
【００１０】
また、表示パネルにはその他の情報を併記でき、利用者へのサービスが可能であり、宣伝、広告についても表示パネルの内部描画の内容を変化させることにより、簡単に変えることができ、安い費用で大きな宣伝効果を上げることができる
【発明を実施するための最良の形態】
【００１１】
本発明の収納物の収納形態自動確認表示装置は、図１に示すように収納物を収納する複数の収納箇所２と、この収納箇所２の夫々に配置されるレーザ光遮断式又は反射式の検出部３と、この検出部３からの検出信号を表示パネル４に伝達するコントロール５（制御手段）等とからなる。なお、表示パネル４は例えば、透明又は半透明のアクリル樹脂板の内部にレーザ加工により満車や空車を表示する２枚のパネルを設置した極めて簡単のものからなる。収納物６が収納箇所２に出入することにより、検出部３から検出信号が送られ、満車又は空車の状態を表示パネル４に明記することができる。なお、本発明の場合、満車以外の場合には常に空車が表示され、満車になった場合のみ満車が表示される。これにより、コントロール部５の制御構造を簡単にすることができ、低コスト化と安全性の向上が図れるが、勿論、このタイプに限定するものではない。
【実施例１】
【００１２】
まず、本発明に用いられる表示パネル４の構造を図２により説明する。この表示パネル４は同一出願人による特開２００２−２１１１９７に開示するような構造からなり、ガラス又は透明、半透明のアクリル樹脂板（本発明では透明なアクリル樹脂板を採用する）７と、この台８と、台８内に設置されるＬＥＤ９と等からなり、アクリル樹脂板７内にはレーザ加工により内部描画像１０が形成される。なお、ＬＥＤ９はインバータ１１や電源部１２に連結されると共に図１に示すコントローラ５が連結される。なお、本発明では図３（ａ）に示すように、アクリル樹脂板７は２枚のアクリル樹脂板７ａ，７ｂが用いられ、アクリル樹脂板７ａには「満車」の内部描画像１０ａがレーザ加工により形成され、アクリル樹脂板７ｂには「空席あり」の内部描画像１０ｂがレーザ加工により形成される。この「満車」及び「空席あり」の内部描画像１０ａ，１０ｂは図３（ｂ）に示すように夫々に配置されているＬＥＤ９ａ，９ｂが対応し、いずれかを選択的に照明する構造からなる。なお、ＬＥＤ９ａ，９ｂの色は同一でも異なるものでもよい。
【００１３】
次に検出部３について説明する。検出部３としては本発明では図４，図５に示す遮断型検出部３ａと図６に示す反射型検出部３ｂが採用されるが、勿論これに限定するものではない。図４に示すように、遮断型検出部３ａはレーザ光反射部１３からのレーザ光を受光した場合にコントローラ５側に検出信号を送る型式のものからなる。即ち、図４（ａ）に示すように収納物６（例えば、自動車）が収納箇所２に収納されない状態では遮断型検出部３ａにはレーザ光反射部１３からのレーザ光１４が入光される。これにより、遮断型検出部３ａからコントローラ５側に検出信号が送られコントローラ５は「空席あり」の内部描画像１０を照光する。一方、図４（ｂ）に示すように、収納物６が収納箇所２に収納されると、レーザ光発射部１３からのレーザ光１４が遮断され、遮断型検出部３ａには入光がなくなる。この場合には、遮断型検出部３ａから別の検出信号がコントローラ５側に発信され、コントローラ５は「満車」の内部描画像１０ａのある方のアクリル樹脂板７ａを照明する。なお、実際上は、収納箇所２が複数あるため、本発明では全部の収納箇所が収納された場合にのみ「満車」の内部描画像１０ａが照射されるようにコントローラ５の構造を形成する必要があることは勿論である。図５は収納物６が自動車６ａの場合における遮断型検出部３ａとレーザ光発射部１３の配置構造の一例を示すものである。自動車６ａの場合は、その収納位置を特定して安全収納を確保するため、自動車６ａの後輪１５の当るストッパ１６が地面側１７に設けられている。レーザ光発射部１３はこのストッパ１６の場所が設置される。一方、収納箇所２の上面側１８のレーザ光発射部１３と相対向する位置に遮断型検出部３ａが設置される。以上の構造により、自動車６ａが収納箇所２に収納されて後輪１５がストッパ１６に当って収納されると、レーザ光発射部１３からのレーザ光１４は確実に遮断され、遮断型検出部３ａから「満車」側への検出信号が確実に送信されることになる。
【００１４】
図６（ａ）は反射型検出部３ｂを示す。この反射型検出部３ｂは、例えば、「アルファテック社」から特許出願されている「レーザ式反射センサ」の如きものからなり、発射したレーザ光が対象物に当って反射するレーザ反射光を受光した場合に検出信号を送るようなタイプのものからなる。なお、対象物がない場合にも検出信号を送ることはできる。この反射型検出部３ｂを用いると図６（ｂ）に示すように収納物６が収納箇所２に収納されると、収納物６からレーザ反射光１９が確実に反射され、これにより「満車」の表示が可能になる。この「レーザ式反射センサ」の如き反射型検出部３ｂは、コンパクトのものからなり、収納箇所２の上面側１８に簡単に、かつ省スペースで設置することができる。
【００１５】
以上により、収納物６が収納箇所２のすべての場所に収納された場合に表示パネル４に「満車」の表示が行われ、収納箇所２が１つでも空いている場合に表示パネルに「空席あり」の表示をすることができる。前記のように本発明では表示パネル４自体の構造に特殊性があり、従来技術のように多数個のＬＥＤを照明して画像表示するものでなく、わずか２枚のアクリル樹脂板７ａ，７ｂの選択的表示をすればよく、極めて低コストで実施できる。また、内部描画のため汚れもなく、ＬＥＤ切れによる影響もなく、抜群の耐久性を発揮することができる。また、内部描画像１０ａ，１０ｂの文字形態や内容を随時変更して、新鮮性を発揮させることも容易にできる。また、わずかのＬＥＤ９を用いればよく、省エネルギ化ができ、一年中ＬＥＤ９を照明していても極めてわずかの電力ですむ。また、「満車」や「空席あり」の表示は、夜間の照明としても機能する。
【実施例２】
【００１６】
前記のアクリル樹脂板７ａ，７ｂには、前記のように「満車」又は「空席あり」の内部描画像１０ａ，１０ｂしか表示されていなかったが、表示パネル４の表示内容としてはこれに限定するものではない。図７に示すようにこの表示パネル４ａは「満車」や「空席あり」の内部描画の他に任意の文字や画像の内部描画像２０，２１をレーザ加工によって予め形成することにより表示パネル４の多用途化ができる。例えば、安全情報でもよく、宣伝、広告でもよい。これにより、表示パネル４の表示価値の向上が図れ、かつ周辺の環境保全にも寄与することができる。
【産業上の利用可能性】
【００１７】
本発明はすべての収納物や収納箇所の空，満状態を適格に表示する表示装置として適用され、特に、駐車場の管理に極めて利用される。また、全体として簡便で低コストのものからなり、表示パネルとしての広範囲の表示機能も持たせることができ、コンパクトで小型の駐車場のみならず、物の収納や安全表示を必要とするすべての場所に利用することができる。
【図面の簡単な説明】
【００１８】
【図１】本発明の収納物の収納形態自動確認表示装置の全体構成を示す構成図。
【図２】本発明に用いられる内部描画式の表示パネルの全体構成図。
【図３】図２の表示パネルを構成する２枚アクリル樹脂板を示す斜視図（ａ）及びその組合せ形態を示す簡易構成図（ｂ）。
【図４】本発明に用いられる遮断型検出部の構成図（ａ）とその作用を説明するための模式図（ｂ）。
【図５】収納物として自動車を採用しこの場合の「満車」，「空席あり」の検出作用を説明する模式図（ｂ）。
【図６】反射型検出部の構成図（ａ）とこの作用を説明するための模式図（ｂ）。
【図７】本発明の表示パネルの他の実施例を示す平面図。
【符号の説明】
【００１９】
１      収納物の収納形態自動確認表示装置
２      収納箇所
３      検出部
３ａ    遮断型検出部
３ｂ    反射型検出部
４      表示パネル
４ａ    表示パネル
５      コントローラ
６      収納物
６ａ    自動車
７      アクリル樹脂板
７ａ    アクリル樹脂板
７ｂ    アクリル樹脂板
８      台
９      ＬＥＤ
１０    内部描画像
１０ａ  内部描画像
１０ｂ  内部描画像
１１    インバータ
１２    電源部
１３    レーザ光発射部
１４    レーザ光
１５    後輪
１６    ストッパ
１７    地面側
１８    上面側
１９    レーザ反射光
２０    内部描画像
２１    内部描画像
【図１】
2005063345.tif 000003
【図２】
2005063345.tif 000004
【図３】
2005063345.tif 000005
【図４】
2005063345.tif 000006
【図５】
2005063345.tif 000007
【図６】
2005063345.tif 000008
【図７】
2005063345.tif 000009